(57)【要約】【課題】画像にコメント等を追加する場合に、より見やすい画像を生成することが可能なプロジェクター等を提供すること。【解決手段】プロジェクター１００が、画像情報入力部１１０と、指示位置情報入力部１２０と、指示位置情報が移動指示操作を示すかどうかを判定する判定部１５０と、前記指示位置に応じた付加画像を生成するとともに、ソース画像と、前記付加画像を含む全体画像を生成する画像生成部１６０と、前記全体画像を投写する投写部１９０を含み、画像生成部１６０が、前記指示位置情報が移動指示操作を示す場合、前記ソース画像および前記付加画像の少なくとも一方の位置を変化させた前記全体画像を生成するとともに、前記指示位置情報が移動指示操作を示さない場合、指示位置の移動軌跡を示す前記全体画像を生成する。【選択図】図２
2010145596.tif 000002
【特許請求の範囲】
【請求項１】
ソース画像を示すソース画像情報を入力する画像情報入力部と、
指示位置を示す指示位置情報を入力する指示位置情報入力部と、
前記指示位置情報が移動指示操作を示すかどうかを判定する判定部と、
前記指示位置情報に基づき、前記指示位置に応じた付加画像を生成するとともに、前記ソース画像と、前記付加画像とを含む全体画像を生成する画像生成部と、
前記全体画像を投写する投写部と、
を含み、
前記画像生成部は、前記指示位置情報が移動指示操作を示す場合、前記指示位置情報に基づき、前記ソース画像および前記付加画像の少なくとも一方の位置を変化させた前記全体画像を生成するとともに、前記指示位置情報が移動指示操作を示さない場合、指示位置の移動軌跡を示す前記付加画像を含む前記全体画像を生成する、
プロジェクター。
【請求項２】
請求項１に記載のプロジェクターにおいて、
前記付加画像と、当該付加画像情報の入力時における前記ソース画像情報の出力装置の種別とを示す入力データを生成するデータ生成部を含む、
プロジェクター。
【請求項３】
請求項２に記載のプロジェクターにおいて、
前記画像情報入力部は、前記種別ごとの入力部を含み、
前記画像生成部は、適用する前記ソース画像情報の入力部が変更になった場合、前記入力データに基づき、適用後の入力部の種別に対応した前記付加画像を示す前記全体画像を生成する、
プロジェクター。
【請求項４】
請求項２、３のいずれかに記載のプロジェクターにおいて、
前記ソース画像および前記付加画像の表示位置および形状を示す状態データと、前記入力データとを記憶する記憶部と、
前記移動指示操作が行われた場合、前記指示位置情報に基づき、前記状態データを更新する更新部と、
を含み、
前記画像生成部は、前記状態データに基づき、前記全体画像を生成する、
プロジェクター。
【請求項５】
ソース画像を示すソース画像情報を入力する画像情報入力部と、指示位置を示す指示位置情報を入力する指示位置情報入力部とを含むプロジェクターの有するコンピューターにより読み取り可能なプログラムであって、
前記コンピューターを、
前記指示位置情報が移動指示操作を示すかどうかを判定する判定部と、
前記指示位置情報に基づき、前記指示位置に応じた付加画像を生成するとともに、前記ソース画像と、前記付加画像とを含む全体画像を生成する画像生成部として機能させ、
前記画像生成部は、前記指示位置情報が移動指示操作を示す場合、前記指示位置情報に基づき、前記ソース画像および前記付加画像の少なくとも一方の位置を変化させた前記全体画像を生成するとともに、前記指示位置情報が移動指示操作を示さない場合、指示位置の移動軌跡を示す前記付加画像を含む前記全体画像を生成する、
プログラム。
【請求項６】
プロジェクターの有するコンピューターにより読み取り可能なプログラムを記憶した情報記憶媒体であって、
請求項５に記載のプログラムを記憶した、
情報記憶媒体。
【発明の詳細な説明】
【技術分野】
【０００１】
本発明は、プロジェクター、プログラムおよび情報記憶媒体に関する。
【背景技術】
【０００２】
例えば、特開２００５−７９９１３号公報では、タブレットからの手書き情報と、画像情報を合成した合成画像を投写するプロジェクターが記載されている。
【特許文献１】特開２００５−７９９１３号公報
【発明の開示】
【発明が解決しようとする課題】
【０００３】
しかし、例えば、自然画像などの複雑な画像の場合、当該画像に手書き画像が追加されると、当該画像も手書き画像も見づらくなってしまう。また、両者を見やすくする手法として、画像情報の出力装置と、手書き情報の出力装置を設け、いわゆるソース切替によって画像と手書き画像を切り替えながら表示する手法も考えられる。しかし、この手法は、両者を同時に表示することができない上、操作も煩雑になり、スムーズなプレゼンテーションを妨げることになってしまう。
【０００４】
本発明の目的は、画像にコメント等を追加する場合に、より見やすい画像を生成することが可能なプロジェクター、プログラムおよび情報記憶媒体を提供することにある。
【課題を解決するための手段】
【０００５】
上記課題を解決するため、本発明に係るプロジェクターは、ソース画像を示すソース画像情報を入力する画像情報入力部と、指示位置を示す指示位置情報を入力する指示位置情報入力部と、前記指示位置情報が移動指示操作を示すかどうかを判定する判定部と、前記指示位置情報に基づき、前記指示位置に応じた付加画像を生成するとともに、前記ソース画像と、前記付加画像とを含む全体画像を生成する画像生成部と、前記全体画像を投写する投写部と、を含み、前記画像生成部は、前記指示位置情報が移動指示操作を示す場合、前記指示位置情報に基づき、前記ソース画像および前記付加画像の少なくとも一方の位置を変化させた前記全体画像を生成するとともに、前記指示位置情報が移動指示操作を示さない場合、指示位置の移動軌跡を示す前記付加画像を含む前記全体画像を生成することを特徴とする。
【０００６】
また、本発明に係るプログラムは、ソース画像を示すソース画像情報を入力する画像情報入力部と、指示位置を示す指示位置情報を入力する指示位置情報入力部とを含むプロジェクターの有するコンピューターにより読み取り可能なプログラムであって、前記指示位置情報が移動指示操作を示すかどうかを判定する判定部と、前記指示位置情報に基づき、前記指示位置に応じた付加画像を生成するとともに、前記ソース画像と、前記付加画像とを含む全体画像を生成する画像生成部として機能させ、前記画像生成部は、前記指示位置情報が移動指示操作を示す場合、前記指示位置情報に基づき、前記ソース画像および前記付加画像の少なくとも一方の位置を変化させた前記全体画像を生成するとともに、前記指示位置情報が移動指示操作を示さない場合、指示位置の移動軌跡を示す前記付加画像を含む前記全体画像を生成することを特徴とする。
【０００７】
また、本発明に係る情報記憶媒体は、プロジェクターの有するコンピューターにより読み取り可能なプログラムを記憶した情報記憶媒体であって、上記プログラムを記憶したことを特徴とする。
【０００８】
本発明によれば、プロジェクターは、指示位置情報に基づき、移動操作指示の場合にソース画像および付加画像の少なくとも一方の位置を変化させた画像を生成するとともに、移動操作指示でない場合に指示位置の移動軌跡を示す画像を生成することにより、画像にコメント等を追加することができるだけでなく、コメントやソース画像の位置を移動させることができるため、より見やすい画像を生成することができる。
【０００９】
また、前記プロジェクターは、前記付加画像と、当該付加画像情報の入力時における前記ソース画像情報の出力装置の種別とを示す入力データを生成するデータ生成部を含んでもよい。
【００１０】
これによれば、プロジェクターは、ソース画像情報の出力装置の種別ごとに付加画像を管理することができる。
【００１１】
また、前記画像情報入力部は、前記種別ごとの入力部を含み、前記画像生成部は、適用する前記ソース画像情報の入力部が変更になった場合、前記入力データに基づき、適用後の入力部の種別に対応した前記付加画像を示す前記全体画像を生成してもよい。
【００１２】
これによれば、プロジェクターは、ソース画像情報の出力装置の種別ごとに付加画像情報を管理しておくことにより、入力部の変更に応じて適用後の入力部の種別に対応した付加画像を示す全体画像を生成することができる。
【００１３】
また、前記ソース画像および前記付加画像の表示位置および形状を示す状態データと、前記入力データとを記憶する記憶部と、前記移動指示操作が行われた場合、前記指示位置情報に基づき、前記状態データを更新する更新部と、を含み、前記画像生成部は、前記状態データに基づき、前記全体画像を生成してもよい。
【００１４】
これによれば、プロジェクターは、移動操作指示に応じた位置にソース画像と付加画像を表示することができるため、画像にコメント等を追加する場合に、より見やすい画像を生成することができる。
【発明を実施するための最良の形態】
【００１５】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１６】
（第１の実施例）
図１は、第１の実施例における投写状況を示す図である。プロジェクター１００は、ペンタブレット３０とＵＳＢケーブルで接続され、ＤＶＤプレーヤー４０とＨＤＭＩケーブルで接続され、ＰＣ５０とディスプレイケーブルで接続されている。プロジェクター１００は、ＤＶＤプレーヤー４０またはＰＣ５０からの画像情報に基づいて画像２０を生成し、画像２０をスクリーン１０に投写する。
【００１７】
ユーザーは、ペンタブレット３０を用いて画像２０に指示位置の移動軌跡を描くことによってイラストやコメント等を付加することができる。本実施例では、プロジェクター１００は、ペンタブレット３０からの指示位置情報に基づき、画像２０に含まれるソース画像（入力される画像情報に基づく画像）と付加画像（ペンタブレット３０によるコメント等を示す画像）を移動させることができる。
【００１８】
次に、このような機能を有するプロジェクター１００の機能ブロックについて説明する。図２は、第１の実施例におけるプロジェクター１００の機能ブロック図である。
【００１９】
プロジェクター１００は、ＤＶＤプレーヤー４０、ＰＣ５０等からソース画像を示す画像情報を入力する画像情報入力部１１０と、ペンタブレット３０等から指示位置を示す指示位置情報を入力する指示位置情報入力部１２０と、データ生成部としても機能する更新部１３０と、記憶部１４０と、種々の判定を行う判定部１５０と、種々の画像を生成する画像生成部１６０と、画像を投写する投写部１９０を含んで構成されている。
【００２０】
また、記憶部１４０は、ソース画像や付加画像を示す画像データ１４１、ソース画像や付加画像の表示位置等を示す状態データ１４２、指示位置の移動軌跡を示す移動軌跡データ１４３、付加画像と、当該付加画像情報の入力時におけるソース画像情報の出力装置の種別を示す入力データ１４４等を記憶している。
【００２１】
図３は、第１の実施例における画像データ１４１、状態データ１４２、入力データ１４４の一例を示す図である。
【００２２】
画像データ１４１の項目としては、例えば、画像情報の種別ごとの識別情報である「ＩＤ」、「画像情報」等が該当する。状態データ１４２の項目としては、例えば、「ＩＤ」、「種別」、領域の表示位置を示す「左上位置」、領域の幅を示す「幅」、領域の高さを示す「高さ」、表示時の前後関係を示す「順序」、表示状態等を示す「状態」等が該当する。入力データ１４４の項目としては、例えば、「ＩＤ」、付加画像情報の入力時におけるソース画像情報の出力装置の種別を示す「種別」等が該当する。
【００２３】
例えば、状態データ１４２では、背景、ＰＣ、ＨＤＭＩ、ＵＳＢの順序で画像が重ねられるため、背景画像の上にＰＣ５０からのソース画像が重ねられ、その上に移動軌跡を示す付加画像が重ねられることになる。
【００２４】
なお、プロジェクター１００は、これらの各部の機能を、以下のハードウェアを用いて実装してもよい。例えば、プロジェクター１００は、画像情報入力部１１０は、ＨＤＭＩ端子（入力部）、D-sub15pin端子（入力部）等、指示位置情報入力部１２０はＵＳＢインターフェイス等、更新部１３０、判定部１５０はＣＰＵ等、記憶部１４０はＲＡＭ等、画像生成部１６０は画像処理回路等、投写部１９０はランプ、液晶パネル、液晶駆動回路、レンズ等を用いて実装してもよい。
【００２５】
また、プロジェクター１００は、判定部１５０等の機能を情報記憶媒体２００に記憶されたプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２６】
次に、プロジェクター１００による画像２０の投写手順について説明する。図４は、第１の実施例における投写手順を示すフローチャートである。
【００２７】
プロジェクター１００は、初期状態では、ＰＣ５０からソース画像を示す画像情報を入力している。画像情報入力部１１０は、ＰＣ５０から画像情報を入力し、更新部１３０は、ソース画像を示す画像データ１４１を更新する（ステップＳ１）。
【００２８】
判定部１５０は、指示位置情報入力部１２０からの情報に基づき、ペンタブレット３０からの指示位置情報が入力されたかどうかを判定する（ステップＳ２）。指示位置情報が入力された場合、判定部１５０は、当該指示位置情報と、状態データ１４２に基づき、移動指示操作かどうかを判定する（ステップＳ３）。
【００２９】
例えば、判定部１５０は、ペンタブレット３０のペンダウン位置が、「状態」が「表示」になっている背景以外の領域のうち、「左上位置」から所定画素範囲（例えば、３×３画素等）内であれば、移動指示操作であると判定してもよい。
【００３０】
移動指示操作でない場合、更新部１３０は、指示位置情報に基づき、移動軌跡データ１４３と、状態データ１４２を更新する（ステップＳ５）。画像生成部１６０は、移動軌跡データ１４３に基づき、移動軌跡を示す付加画像を生成し、当該付加画像を示す画像データ１４１を更新する（ステップＳ６）。
【００３１】
また、画像生成部１６０は、画像データ１４１と、状態データ１４２に基づき、ソース画像と付加画像を含む全体画像を生成し、投写部１９０は、当該全体画像を投写する（ステップＳ１０）。
【００３２】
図５は、第１の実施例における全体画像３００の一例を示す図である。ソース画像３１０を含む全体画像が表示された状態で、ユーザーがペンタブレット３０で矢印を描くことにより、ソース画像３１０に移動軌跡３３０が付加された全体画像３００が投写される。
【００３３】
なお、移動軌跡３３０を囲む形で矩形の付加画像３２０が表示されるが、付加画像３２０の背景は透過色が設定されることにより、実際には、移動軌跡３３０のみが表示される。
【００３４】
ペンタブレット３０の場合、ペンタブレット３０の座標と全体画像３００の座標とが明確に対応付けられているため、ユーザーが移動軌跡３３０を描く位置を間違える場合がある。また、図５に示すように、移動軌跡３３０がソース画像３１０と重なってしまい、移動軌跡３３０やソース画像３１０が見づらくなってしまう場合がある。
【００３５】
このような場合、ユーザーは、ペンタブレット３０を操作してソース画像３１０や付加画像３２０を移動させることができる。
【００３６】
例えば、ユーザーは、ペンタブレット３０におけるソース画像３１０の左上位置付近に相当する位置でペン先を置き、そのままペン先を下方向に移動させる。これにより、いわゆるドラッグ操作が行われる。なお、移動指示操作は、例えば、移動対象となる画像の領域内で数秒以上移動させずにペンダウン状態を継続した後に移動させる操作等であってもよい。
【００３７】
このような操作があった場合、判定部１５０は、移動指示操作であると判定し、更新部１３０は、ソース画像３１０の「左上位置」が更新されるように、状態データ１４２を更新する（ステップＳ４）。
【００３８】
また、例えば、更新部１３０は、付加画像３２０の半分以上が全体画像３００の外部に移動する移動指示操作があった場合、付加画像３２０の消去指示と判定して付加画像３２０のデータ（本実施例では「ＩＤ」が「０００４」のデータ）を削除してもよいし、状態データ１４２における付加画像３２０の「状態」を「非表示」に更新してもよい。
【００３９】
また、例えば、更新部１３０は、移動指示操作があった場合、当該移動指示対象の画像が最前面になるように状態データ１４２の「順序」を更新してもよい。例えば、図５に示す状態で、ユーザーがソース画像３１０を全体画像３００の上端まで移動させた場合、付加画像３２０の全体はソース画像３１０によって隠されることになる。また、この場合、ユーザーがソース画像３１０を下方に移動させることによって付加画像３２０は再表示される。
【００４０】
画像生成部１６０は、画像データ１４１と、状態データ１４２に基づき、ソース画像と付加画像を含む全体画像を生成し、投写部１９０は、当該全体画像を投写する（ステップＳ１０）。
【００４１】
図６は、第１の実施例における移動時の全体画像３０１の一例を示す図である。例えば、ソース画像３１０が下方向に移動されることにより、移動軌跡３３０とソース画像３１０が重ならない全体画像３０１が表示される。
【００４２】
また、判定部１５０は、適用する画像情報の入力部の変更、いわゆるソース切替があったかどうかを判定する（ステップＳ７）。例えば、ユーザー操作によって入力ソースがＰＣからＨＤＭＩに変更された場合や元のソースがＰＣの状態でＨＤＭＩ端子に画像情報が入力された場合等にソース切替となる。
【００４３】
ソース切替の場合、更新部１３０は、表示中の移動軌跡３３０を再現するため、入力データ１４４を生成し、記憶部１４０に記憶する（ステップＳ８）。例えば、画像情報の入力ソースがＰＣで移動軌跡３３０が表示中の場合、更新部１３０は、図３に示すように、付加画像３２０（付加画像３２０のＩＤと画像情報）と、当該付加画像情報の入力時におけるソース画像情報の出力装置の種別（ＰＣ）を示す入力データ１４４を生成する。
【００４４】
また、入力ソースがＨＤＭＩに変更された場合、画像生成部１６０は、入力データ１４４を参照して「種別」が「ＨＤＭＩ」となっているデータに基づき、「種別」が「ＨＤＭＩ」の時の移動軌跡３３０を示す付加画像３２０を生成し（ステップＳ９）、投写部１９０は、当該付加画像３２０を含む全体画像を投写する（ステップＳ１０）。
【００４５】
プロジェクター１００は、電源ボタンのオフ等によって終了すべきかどうかを決定する（ステップＳ１１）。
【００４６】
以上のように、本実施例によれば、プロジェクター１００は、指示位置情報に基づき、移動操作指示の場合にソース画像３１０および付加画像３２０の少なくとも一方の位置を変化させた全体画像３０１を生成するとともに、移動操作指示でない場合に指示位置の移動軌跡３３０を示す全体画像３００を生成することにより、画像にコメント等を追加することができるだけでなく、コメントやソース画像３１０の位置を移動させることができるため、より見やすい画像を生成することができる。
【００４７】
また、本実施例によれば、プロジェクター１００は、ソース画像情報の出力装置の種別ごとに付加画像情報を管理しておくことにより、入力部の変更に応じて適用後の入力部の種別に対応した付加画像３２０を示す全体画像３００、３０１を生成することができる。
【００４８】
また、本実施例によれば、プロジェクター１００は、状態データ１４２を用いることにより、移動操作指示に応じた位置にソース画像３１０と付加画像３２０を表示することができるため、画像にコメント等を追加する場合に、より見やすい画像を生成することができる。
【００４９】
また、本実施例によれば、ユーザーは、ペンタブレット３０のペンを持ったまま、ソース画像３１０や付加画像３２０の移動指示操作によって付加画像３２０を消去したり、隠したりすることができるため、消去ボタンを押して付加画像３２０を消去したり、ＰＣ５０やリモートコントローラー等を使用する必要がない。これにより、プロジェクター１００は、ユーザーの煩雑な操作を軽減し、プロジェクター１００等をより操作させやすくすることができる。
【００５０】
（第２の実施例）
第１の実施例では、プロジェクター１００は、移動軌跡３３０をそのまま表示したが、移動軌跡３３０に対して文字認識を行って文字として表示してもよい。
【００５１】
図７は、第２の実施例におけるプロジェクター１０１の機能ブロック図である。プロジェクター１０１は、上述したプロジェクター１００の構成に加えて移動軌跡３３０の文字認識を行う文字認識部１７０を含み、文字認識結果を示す文字データ１４５を記憶部１４０に記憶している。
【００５２】
なお、文字データ１４５は、文字を表示するためのフォントデータ、文字の大きさ、色等を示す属性データを含んでもよい。また、プロジェクター１０１は、情報記憶媒体２０１からプログラムを読み取って文字認識部１７０等の機能を実装してもよい。
【００５３】
判定部１５０によって移動指示操作でないと判定された場合、文字認識部１７０は、移動軌跡データ１４３に基づき、移動軌跡３３０の文字認識を行って文字認識結果を示す文字データ１４５を記憶部１４０に記憶する。
【００５４】
画像生成部１６０は、文字データ１４５に基づき、移動軌跡３３０が文字として認識された場合は付加画像３２０として文字列を示す全体画像を生成する。
【００５５】
このように、プロジェクター１０１は、移動軌跡３３０の文字認識を行って文字を付加した全体画像を生成、投写することも可能である。
【００５６】
（その他の実施例）
なお、本発明の適用は上述した実施例に限定されず、種々の変形が可能である。例えば、画像生成部１６０は、移動軌跡３３０の現在の指示位置部分にペン形状のカーソル等を示す付加画像３２０を生成してもよい。
【００５７】
また、指示位置情報の出力装置は、ペンタブレット３０には限定されず、例えば、マウス、液晶ペンタブレット、ノート型ＰＣのタッチパッド等であってもよい。また、画像情報の出力装置は、ＤＶＤプレーヤー４０、ＰＣ５０には限定されず、例えば、デジタルビデオカメラ、デジタルカメラ、フォトストレージ等であってもよい。
【００５８】
また、プロジェクター１００、１０１の用途は、プレゼンテーションには限定されず、例えば、屋外広告、テレビ番組（例えば、天気予報等）等であってもよい。
【００５９】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。
【図面の簡単な説明】
【００６０】
【図１】第１の実施例における投写状況を示す図である。
【図２】第１の実施例におけるプロジェクターの機能ブロック図である。
【図３】第１の実施例における画像データ、状態データ、入力データの一例を示す図である。
【図４】第１の実施例における投写手順を示すフローチャートである。
【図５】第１の実施例における全体画像の一例を示す図である。
【図６】第１の実施例における移動時の全体画像の一例を示す図である。
【図７】第２の実施例におけるプロジェクターの機能ブロック図である。
【符号の説明】
【００６１】
１０  スクリーン、２０  画像、３０  ペンタブレット、４０  ＤＶＤプレーヤー、５０  ＰＣ、１００、１０１  プロジェクター、１１０  画像情報入力部、１２０  指示位置情報入力部、１３０  更新部、１４０  記憶部、１４１  画像データ、１４２  状態データ、１４３  移動軌跡データ、１４４  入力データ、１４５  文字データ、１５０  判定部、１６０  画像生成部、１７０  文字認識部、１９０  投写部、２００、２０１  情報記憶媒体
【図１】
2010145596.tif 000003
【図２】
2010145596.tif 000004
【図３】
2010145596.tif 000005
【図４】
2010145596.tif 000006
【図５】
2010145596.tif 000007
【図６】
2010145596.tif 000008
【図７】
2010145596.tif 000009